【手続補正書】
【提出日】平成29年3月31日(2017.3.31)
【手続補正１】
【補正対象書類名】特許請求の範囲
【補正対象項目名】全文
【補正方法】変更
【補正の内容】
【特許請求の範囲】
【請求項１】
表示手段による画像のスクロール表示中に、前記表示手段に対応して設けられた入力面への操作子による操作が検知された場合に、操作の検知タイミングにおけるスクロール速度に基づいて、前記操作子に与える触感の強度を決定する強度決定手段と、
前記操作子に与える触感を生成する触感生成手段を制御して、前記強度決定手段により決定された強度の触感を生成する触感制御手段と、
前記画像のスクロール表示中に、スクロール速度を徐々に減速させる手段であって、前記画像のスクロール表示中に、前記操作子による操作が検知されていない場合には、第１の減速の程度でスクロール速度を徐々に減速し、前記画像のスクロール表示中に前記操作子による操作が検知された場合には、前記第１の減速の程度よりも大きい第２の程度でスクロール速度を徐々に減速する速度制御手段とを有し、
前記強度決定手段は、前記速度制御手段によるスクロール速度の変化に応じて触感の強度を変化させることを特徴とする触感制御装置。
【請求項２】
前記強度決定手段は、スクロール速度が速い程より大きな強度を決定することを特徴とする請求項１に記載の触感制御装置。
【請求項３】
前記入力面への前記操作子の移動速度に基づいて、前記画像のスクロール表示の開始速度を決定し、移動操作後の時間経過に伴い、前記スクロール速度を徐々に減速させるスクロール制御手段を有することを特徴とする請求項１又は２に記載の触感制御装置。
【請求項４】
表示手段による画像のスクロール表示中に、前記表示手段に対応して設けられた入力面への操作子による移動操作が検知された場合に、前記移動操作に基づいて、スクロール速度を制御するスクロール制御手段と、
前記スクロール表示におけるスクロール方向へのスクロール速度と、前記移動操作の操作速度とに基づいて、前記操作子に与える触感の強度を決定する強度決定手段と、
前記操作子に与える触感を生成する触感生成手段を制御して、前記強度決定手段により決定された強度の触感を生成する触感制御手段とを有し、
前記強度決定手段は、前記移動操作の操作速度と、前記スクロール速度の差分の絶対値に基づいて、強度を決定することを特徴とする触感制御装置。
【請求項５】
前記スクロール制御手段は、前記移動操作の方向がスクロールの方向を含む第１の方向範囲に属する場合に、前記スクロール速度を加速することを特徴とする請求項４に記載の触感制御装置。
【請求項６】
前記スクロール制御手段は、前記移動操作の方向がスクロールの方向と逆の方向を含む第２の方向範囲に属し、且つ前記移動操作の操作速度の絶対値が前記スクロール速度の絶対値に比べて小さい場合には、スクロール速度を減速することを特徴とする請求項４又は５に記載の触感制御装置。
【請求項７】
前記スクロール制御手段は、前記移動操作の方向が前記第２の方向範囲に属し、且つ前記移動操作の操作速度の絶対値が前記スクロール速度の絶対値に比べて大きい場合に、スクロールの方向を逆向きに変更することを特徴とする請求項６に記載の触感制御装置。
【請求項８】
前記スクロール制御手段は、前記入力面への前記操作子による移動操作に基づいて、前記画像のスクロール表示を開始し、前記移動操作後の時間経過に伴い、スクロール表示の前記スクロール速度を徐々に減速させることを特徴とする請求項４乃至７何れか１項に記載の触感制御装置。
【請求項９】
触感制御装置が実行する触感制御方法であって、
表示手段による画像のスクロール表示中に、前記表示手段に対応して設けられた入力面への操作子による操作が検知された場合に、操作の検知タイミングにおけるスクロール速度に基づいて、前記操作子に与える触感の強度を決定する強度決定工程と、
前記操作子に与える触感を生成する触感生成手段を制御して、前記強度決定工程により決定された強度の触感を生成する触感制御工程と、
前記画像のスクロール表示中に、スクロール速度を徐々に減速させる工程であって、前記画像のスクロール表示中に、前記操作子による操作が検知されていない場合には、第１の減速の程度でスクロール速度を徐々に減速し、前記画像のスクロール表示中に前記操作子による操作が検知された場合には、前記第１の減速の程度よりも大きい第２の程度でスクロール速度を徐々に減速する速度制御工程とを含み、
前記強度決定工程では、前記速度制御工程におけるスクロール速度の変化に応じて触感の強度を変化させることを特徴とする触感制御方法。
【請求項１０】
触感制御装置が実行する触感制御方法であって、
表示手段による画像のスクロール表示中に、前記表示手段に対応して設けられた入力面への操作子による移動操作が検知された場合に、前記移動操作に基づいて、スクロール速度を制御するスクロール制御工程と、
前記スクロール表示におけるスクロール方向へのスクロール速度と、前記移動操作の操作速度とに基づいて、前記操作子に与える触感の強度を決定する強度決定工程と、
前記操作子に与える触感を生成する触感生成手段を制御して、前記強度決定工程により決定された強度の触感を生成する触感制御工程とを含み、
前記強度決定工程では、前記移動操作の操作速度と、前記スクロール速度の差分の絶対値に基づいて、強度を決定することを特徴とする触感制御方法。
【請求項１１】
コンピュータを、
表示手段による画像のスクロール表示中に、前記表示手段に対応して設けられた入力面への操作子による操作が検知された場合に、操作の検知タイミングにおけるスクロール速度に基づいて、前記操作子に与える触感の強度を決定する強度決定手段と、
前記操作子に与える触感を生成する触感生成手段を制御して、前記強度決定手段により決定された強度の触感を生成する触感制御手段と、
前記画像のスクロール表示中に、スクロール速度を徐々に減速させる手段であって、前記画像のスクロール表示中に、前記操作子による操作が検知されていない場合には、第１の減速の程度でスクロール速度を徐々に減速し、前記画像のスクロール表示中に前記操作子による操作が検知された場合には、前記第１の減速の程度よりも大きい第２の程度でスクロール速度を徐々に減速する速度制御手段として機能させるためのプログラムであって、
前記強度決定手段は、前記速度制御手段によるスクロール速度の変化に応じて触感の強度を変化させることを特徴とするプログラム。
【請求項１２】
前記強度決定手段は、スクロール速度が速い程より大きな強度を決定することを特徴とする請求項１１に記載のプログラム。
【請求項１３】
前記入力面への前記操作子の移動速度に基づいて、前記画像のスクロール表示の開始速度を決定し、移動操作後の時間経過に伴い、前記スクロール速度を徐々に減速させるスクロール制御手段を有することを特徴とする請求項１１又は１２に記載のプログラム。
【請求項１４】
コンピュータを、
表示手段による画像のスクロール表示中に、前記表示手段に対応して設けられた入力面への操作子による移動操作が検知された場合に、前記移動操作に基づいて、スクロール速度を制御するスクロール制御手段と、
前記スクロール表示におけるスクロール方向へのスクロール速度と、前記移動操作の操作速度とに基づいて、前記操作子に与える触感の強度を決定する強度決定手段と、
前記操作子に与える触感を生成する触感生成手段を制御して、前記強度決定手段により決定された強度の触感を生成する触感制御手段として機能させるためのプログラムであって、
前記強度決定手段は、前記移動操作の操作速度と、前記スクロール速度の差分の絶対値に基づいて、強度を決定することを特徴とするプログラム。
【請求項１５】
前記スクロール制御手段は、前記移動操作の方向がスクロールの方向を含む第１の方向範囲に属する場合に、前記スクロール速度を加速することを特徴とする請求項１４に記載のプログラム。
【請求項１６】
前記スクロール制御手段は、前記移動操作の方向がスクロールの方向と逆の方向を含む第２の方向範囲に属し、且つ前記移動操作の操作速度の絶対値が前記スクロール速度の絶対値に比べて小さい場合には、スクロール速度を減速することを特徴とする請求項１４又は１５に記載のプログラム。
【請求項１７】
前記スクロール制御手段は、前記移動操作の方向が前記第２の方向範囲に属し、且つ前記移動操作の操作速度の絶対値が前記スクロール速度の絶対値に比べて大きい場合に、スクロールの方向を逆向きに変更することを特徴とする請求項１６に記載のプログラム。
【請求項１８】
前記スクロール制御手段は、前記入力面への前記操作子による移動操作に基づいて、前記画像のスクロール表示を開始し、前記移動操作後の時間経過に伴い、スクロール表示の前記スクロール速度を徐々に減速させることを特徴とする請求項１４乃至１７何れか１項に記載のプログラム。
【手続補正２】
【補正対象書類名】明細書
【補正対象項目名】０００６
【補正方法】変更
【補正の内容】
【０００６】
そこで、本発明は、触感制御装置であって、表示手段による画像のスクロール表示中に、前記表示手段に対応して設けられた入力面への操作子による操作が検知された場合に、操作の検知タイミングにおけるスクロール速度に基づいて、前記操作子に与える触感の強度を決定する強度決定手段と、前記操作子に与える触感を生成する触感生成手段を制御して、前記強度決定手段により決定された強度の触感を生成する触感制御手段と、前記画像のスクロール表示中に、スクロール速度を徐々に減速させる手段であって、前記画像のスクロール表示中に、前記操作子による操作が検知されていない場合には、第１の減速の程度でスクロール速度を徐々に減速し、前記画像のスクロール表示中に前記操作子による操作が検知された場合には、前記第１の減速の程度よりも大きい第２の程度でスクロール速度を徐々に減速する速度制御手段とを有し、前記強度決定手段は、前記速度制御手段によるスクロール速度の変化に応じて触感の強度を変化させることを特徴とする。